(57)【要約】【課題】電池電源を用いて測定する測定装置において、記録可能な期間の長い測定装置を提供する。【解決手段】電池電源を用いて測定する測定装置１であって、センサーより測定する都度、そのタイミングに合わせてセンサーに電力を供給し、測定が終了すると電力を遮断する機能を有する測定装置を提供する。センサー自体が電力を消費するタイプのものであるときに、測定を指示するタイミングに合わせてセンサーに電力を供給し、その都度、センサーをアクティブにする。したがって、測定するタイミングに合わせて電力を供給し、測定が終了すると電力を遮断することによりセンサーの電力消費を大幅に低減することができる。このため、電池電源を用いて測定する測定装置において、記録可能な期間を大幅に延長することができる。【選択図】図１
2011013229.tif 000002
【特許請求の範囲】
【請求項１】
電池電源を用いて測定する測定装置であって、
センサーより測定する都度、そのタイミングに合わせて前記センサーに電力を供給し、測定が終了すると電力を遮断する機能を有する測定装置。
【発明の詳細な説明】
【技術分野】
【０００１】
本発明は、さまざまな物理量を測定する測定装置に関するものである。
【背景技術】
【０００２】
温度、湿度、ｐＨ、気圧、水位など、さまざまな物理量を測定する機器が市販されている。特に、近年の測定装置では、液晶などによるディスプレイが設けられており、デジタル化された測定値が表示されるようになっている。このため、センサーから出力される電圧信号あるいは電流信号をデジタル変換し、さらに、それを所定の関数で測定値に変換して表示する機能が多くの測定装置に搭載されている。
【発明の概要】
【発明が解決しようとする課題】
【０００３】
電池電源を用いて測定する測定装置において、記録可能な期間を延長することができる装置が要望されている。
【課題を解決するための手段】
【０００４】
本発明の一態様は、電池電源を用いて測定する測定装置であって、センサーより測定する都度、そのタイミングに合わせてセンサーに電力を供給し、測定が終了すると電力を遮断する機能を有する測定装置である。センサー自体が電力を消費するタイプのものであるときに、測定を指示するタイミングに合わせてセンサーに電力を供給し、その都度、センサーをアクティブにする。したがって、測定するタイミングに合わせて電力を供給し、測定が終了すると電力を遮断することによりセンサーの電力消費を大幅に低減することができる。このため、電池電源を用いて測定する測定装置において、記録可能な期間を大幅に延長することができる。
【図面の簡単な説明】
【０００５】
【図１】測定装置の概要を示す図である。
【図２】図１に示す測定装置の概略機能を示すブロック図である。
【図３】図１に示す測定装置のハードウェア構成の概要を示す図である。
【発明を実施するための形態】
【０００６】
以下に本発明の実施の形態について説明する。図１に、測定装置の一例を示してある。この測定装置１は、ボディー２の中心に液晶表示板（ＬＣＤ）１０が配置され、その下方に操作ステーション５が配置されている。また、ボディー２の左側にはセンサーを接続可能な２つの入力インタフェース３ａおよび３ｂが用意され、ボディー２の右側には、入出力インタフェースとしてＲＳ−２３２Ｃインタフェース４が用意されている。
【０００７】
この測定装置１は、２つの異なるセンサーをそれぞれの入力インタフェース３ａおよび３ｂに接続することが可能であり、それぞれのチャンネルから入力された電圧信号を処理できるようになっている。このため、ＬＣＤ１０には、測定された数値を表示する領域１１と、表示されている数値の単位を表示する領域１２と、表示されている数値の入力チャンネルを表示する領域１３とが用意されている。また、本例の測定装置１は、測定されたデータを記憶する機能を備えており、メモリがフルになると記録を中止するワンタイムと、メモリがフルになると上書きするエンドレスの２つのモードが用意されている。このため、数値を表示する領域１１の上方には、記録中であることを表示する領域１４と、ワンタイムあるいはエンドレスのいずれかの記録モードを表示する領域１５が用意されている。さらに、バッテリーの状況を示す領域１６も用意されている。
【０００８】
これらの表示領域のうち、数値を表示する領域１１は、プラスマイナスを除き、４桁の８セグメントの数値専用の表示領域になっており、数値以外では、エラー表示などの限られた範囲の内容を表示することができる。これに対し、単位を表示する領域１２は、３つのキャラクタを並べて表示できるドットマトリクスタイプの表示領域になっており、数字はもちろん、さまざまなキャラクタを表示することができる。
【０００９】
図２に、本例の測定装置１の測定値を表示する機能に関する概略構成をブロック図により示してある。この測定装置１は、入力インタフェース３ａおよび３ｂから入力された電圧信号φｉを処理する入力信号処理部２０と、処理された信号をデジタルの出力値φｖに変換するＡ／Ｄ回路３１と、出力値φｖを所定の関数によりセンサーで測定された物理量に対応する測定値φｏ、たとえば、温度、湿度あるいは気圧などに変換してその測定値φｏの数値を表示する領域１１に表示する変換部３２と、測定値φｏに対応する単位、たとえば「℃」、「ＲＨ」あるいは「Ｐｓ」を表示する領域１２に表示する単位表示部３３とを備えている。変換部３２および単位表示部３３には、ＲＳ−２３２Ｃインタフェース４を介して外部接続されたパーソナルコンピュータなどから変換部３２の数値変換用の関数３４、および単位表示部３３において単位として表示するキャラクタ３５が設定できるようになっている。
【００１０】
さらに、測定装置１は、出力値φｖを測定された順番にメモリに記録する記録部３９も備えている。本例においては、測定チャンネル毎に、測定開始日時、測定間隔なども記録されており、出力値φｖを測定順に記録するだけで測定された日時を特定できるようになっている。また、記録されたデータは、ＲＳ−２３２Ｃインタフェース４を介して外部のパーソナルコンピュータなどに出力できるようになっており、データ解析などの目的で用いることができる。したがって、限られたメモリ容量で大量のデータを記録することができ、小型でありながら長期間にわたり測定対象をモニターすることができる。もちろん、出力値φｖの代わりに変換された測定値φｏを記録したり、ＲＴＣユニットを内蔵して測定値あるいは出力値ごとに測定された日時を記録するようにしても良い。
【００１１】
本例の入力信号処理部２０は、入力インタフェース３ａあるいは３ｂから供給された電圧信号φｉを選択するセレクタ２１と、増幅するためのアンプ２２と、アンプ２２に入力するフルスケールを自動的に選択可能な分圧回路２３およびセレクタ２４を備えている。本例の測定装置１は、測定値への変換が自由に設定でき、さらに、単位表示も自由に変えることができるので、対応できるセンサーは基本的には限定されない。したがって、センサーから入力可能な電圧信号の幅もできるだけ広範囲であることが望ましい。しかしながら、入力バンド幅を広げるとアンプの性能は低下してしまう。また、センサーの種類や出力値によって入力電圧をマニュアルで設定するのは面倒であり、測定装置としての機能を阻害する要因となる。
【００１２】
このため、本例においては、複数の抵抗を直列に接続して入力信号φｉを分圧可能な回路２３を採用し、それぞれの分圧電圧のうち、アンプ２２あるいはＡ／Ｄ回路３１でオーバーフローあるいはサチュレートしない電圧を自動的に選択して出力値φｖに変換するようにしている。たとえば、入力電圧幅を１５Ｖ程度にするとほとんどのセンサーに対応することが可能であり、分圧回路２３の出力幅を１／１５、２／１５、６／１５、１５／１５などとすることにより、出力電圧が１Ｖ程度のセンサーを接続した場合でも十分な精度で電圧信号を出力値φｖに変換することができる。
【００１３】
変換部３２においては、変換する関数として一次関数（Ｙ＝ＡＸ＋Ｂ）を採用しており、ホストとして接続される外部のパーソナルコンピュータで稼動するアプリケーションソフトから定数ＡおよびＢを変換関数３４として設定することによりセンサーからの電圧値（出力値）φｖを、そのセンサーにより測定される温度、湿度、ｐＨあるいは気圧などの測定値φｏに変換している。アプリケーションソフトとしては、一次関数を定義するために定数ＡおよびＢを入力する代わりに２点の数値の組み合わせを入力するものであっても良い。もちろん、変換用の関数として二次関数などを採用することも可能であるが、測定範囲を適当に設定すれば一次関数でほぼ測定値に変換することができ、変換のために必要となる定数を削減でき、処理時間も短縮できるという点ではメリットがある。
【００１４】
そして、単位表示部３３には、変換される測定値φｏに対応した単位３５がキャラクタ、たとえば、温度であれば℃、湿度であればＲＨ、水質であればｐＨ、気圧であればＰｓなどが外部のパーソナルコンピュータからインタフェース４を介して設定され、測定値φｏと共にＬＣＤ１０に表示される。本例の測定装置１においては、電圧で示される出力値φｖもＬＣＤ１０に表示できるようになっており、そのときの単位はｍＶあるいはＶが選択される。そして、ＬＣＤ１０の単位を表示する領域１２はドットマトリクスタイプとなっているので、外部から設定された単位あるいはｍＶなどのディフォルトの単位を見やすく表示することができる。単位を表示する領域１２は、キャラクタを表示できれば良いので、ドットマトリクスの代わりに１４セグメントの表示体などを採用することが可能である。しかしながら、セグメントタイプは表示可能なキャラクタの形状が限られてしまうので、ユーザの好みにあった単位表示を実現するにはドットマトリクスタイプのものが望ましい。
【００１５】
本例の測定装置１では、ホストなどからいったん関数３４および単位３５が設定されると、各チャンネル毎に出力値が所定の周期で測定され、それを変換した後の測定値およびその単位がＬＣＤ１０に表示される。また、ユーザが操作部５のスイッチで操作することにより、電圧表示などの他の形態で出力値あるいは測定値をそれに対応する単位と共に表示することも可能である。
【００１６】
本例の測定装置は基本的には電圧測定が可能なものであり、特定のチャンネルからの入力を凝視する可能性もあることから、ＬＣＤ１０の表示モードとして各々のチャンネルのみを表示するモードと、非表示にして記録のみを行うモードと、さらに、各々のチャンネルを交互に切り替えて表示するモードを設けている。非表示にすると、表示のための測定およびＣＰＵが計算に要する電力を削減できるので、測定装置の稼動期間を延ばすことができる。
【００１７】
このような機能を備えた本例の測定装置１は、簡易なハードウェアで実現することが可能であり、その一例を図３に示してある。この例では、測定装置１の全体を制御するＣＰＵ５１を中心に構成されており、内部バス５２およびＬＣＤコントローラ５３を介して表示用のＬＣＤ１０が接続されている。また、内部バス５２にはデータ記憶用のＲＡＭ５４が接続されており、出力値などを記録するために用いられる。さらに、書き換え可能な不揮発性メモリとしてＥＥＰＲＯＭ５５が接続されており、ＣＰＵファームウェアを記録すると共に、外部のパーソナルコンピュータなどのホストから設定される値を記憶できるようになっている。したがって、出力値を測定値に変換するための関数、測定値と共に表示する単位のキャラクタもＲＯＭ５５に記憶される。本例では、Ａ／Ｄ変換回路はＣＰＵ５１のＡ／Ｄ変換機能を用いて実現されており、このため、入力インタフェース３ａおよび３ｂから入力された信号は処理部２０を介してＣＰＵ５１に供給されるようになっている。さらに、バス５２にはＲＳ−２３２Ｃインタフェース４が接続されており、ＲＯＭ５５の内容を書き換えたり、ＲＡＭ５４に記憶されたデータを出力することができる。
【００１８】
このように本例の測定装置１は、数値および単位を表示可能なＬＣＤ１０を中心とした非常に小型な測定装置であり、さらに構成も簡易なので低コストで製造することができる。その一方で、ＬＣＤ１０に３文字程度のキャラクタがフレキシブルに表示できる領域１２を設けてあるので、ＬＣＤ１０に出力される測定値の単位は自由に設定することができる。そして、出力値φｖを適当な関数で測定値φｏに変換する機能も備えているので、測定対象が異なるセンサーを接続しても、そのセンサーに適応させることができる。すなわち、ＲＳ−２３２Ｃインタフェース４を介してホストから変換関数の定数ＡおよびＢと、単位として表示するキャラクタを設定することにより、同一の測定装置１をさまざまなセンサーに適応させることができ、そのセンサーに応じた測定値と単位を表示することができる。さらに、同一センサーから得られた出力値φｖを異なる関数によって測定値に変換し、それに対応する単位と共に表示することも可能である。たとえば、気圧センサーを接続し、得られた出力値φｖを気圧に変換して「Ｐｓ」などの単位と共に表示し、さらに、同じ出力値φｖを高度に変換して「ｍ」などの単位と共に表示することができる。もちろん、入力された電圧値を測定値として出力することも可能であり、電圧測定装置としても採用できる。
【００１９】
したがって、本例の測定装置１はセンサーを変えて、内部の設定をホスト側から変えることにより、車および電池機器のバッテリーの電圧降下状態を記録する電圧ロガー、太陽電池の発電記録を行う測定装置、加速度センサーを接続した加速度計、酸素・二酸化炭素・一酸化炭素などを検出するセンサーを接続した大気状態モニター、ｐＨ・ＢＯＤなどを検出するセンサーを接続した水質モニター、気圧センサーを接続した気圧計あるいは高度計などのさまざまな用途に利用することができる。そして、測定装置１の設定はＲＳ−２３２Ｃインタフェースと接続可能なホストがあれば良いので、製造するときのみならず、製造後、あるいは在庫の測定装置を出荷するとき、モニター内部に組み込むとき、スペアなどとして保管中の測定装置にセンサーを接続して設置するときなど、測定装置の目的とユーザの都合などに合わせていつでもどこでも可能である。したがって、本例の測定装置は取り扱いが非常にフレキシブルである。このため、量産が可能でありさらに低コストで提供することができる。また、測定装置を発注する際も用途を限定しなくて良く、購入した装置あるいは在庫の装置を必要とされる用途にセッティングすることにより所望の目的を果たすことができる。このため、製品の購入管理も容易となり、それに費やされる時間および費用を圧縮することができる。さらに、センサーが異なる場合でも、セッティングしなおすことにより同一の測定装置を用いることができるので、無駄がなく、効率的に利用することができる。
【００２０】
このように本例の測定装置は、出力値から測定値への変換方法および表示用の単位を多く用意しておき、それらの中から適当なものを選択するというシステムではなく、ホストなどから単位の表示と変換用の関数を自由に設定することができるようにしている。したがって、多種多様な測定値を表示可能な測定装置でありながら、測定装置自体は簡易な機構で良く、また、表示用の単位や関数などを記憶するメモリ容量も少なくて済む。さらに、単位として表示するキャラクタなどの選択、および、出力値から測定値に変換するための関数の選択などがユーザに開放されるので、新しいセンサーや、製造時には予想していないような用途に対してもフレキシブルに対応することが可能な測定装置を提供することができる。
【００２１】
そして、測定値の単位の表示と、出力値から測定値への変換関数の設定という限られた部分をフレキシブルにすることにより多種多様なセンサーに対応できるようにしている。このため、パーソナルコンピュータなどを用いた測定装置とはことなり、簡易な機構で、低コストで、コンパクトでありながら汎用性の高い測定装置を実現することができる。したがって、これに係る測定装置の用途は広く、携帯型の測定機器はもちろん、上述した用途などに用いられる測定機器を低コストで提供することが可能となる。
【００２２】
なお、本例の測定装置は２つのセンサーを接続可能な例であるが、１つのセンサーに対応した測定装置であっても良く、さらには、３つ以上のセンサーに対応できるように多チャンネル化された測定装置にも上記技術を適用することができる。さらに、センサーを内蔵した測定装置であっても良い。また、センサーからの信号が直に入力される測定装置に限らず、適当な変換機能を備えた中継装置を介してセンサーからのデータが入力される測定装置に対しても上記技術を適用することができる。
【００２３】
さらに、センサーからの出力を変換する機能を有した中継装置に限らず、測定装置からセンサーに対し出力される測定のタイミングを用いてさまざまな機能を果たす中継ユニットが接続されることもあるが、そのような測定装置に対しても適用可能である。たとえば、中継ユニットとしては、複数の測定装置を接続し、それらの測定装置の１つをマスター、他をスレーブとして測定のタイミングの同期を取るものがある。この中継ユニットを用いると、複数の測定装置で複数の場所あるいは複数の物理量を同じタイミングで測定することができ、位相解析、タイミング解析などを目的とした測定に有効である。また、中継ユニットとしてプレヒート機能を備えたものを接続することも可能である。このプレヒート機能は、センサー自体が電力を消費するタイプのものであるときに、測定を指示するタイミングに合わせてセンサーに電力を供給し、その都度、センサーをアクティブにするものである。したがって、測定するタイミングに合わせて電力を供給し、測定が終了すると電力を遮断することによりセンサーの電力消費を大幅に低減することができる。このため、電池電源を用いて測定する測定装置あるいは測定ステーションに好適であり、記録可能な期間を大幅に延長することができる。また、プレヒート機能により電力を供給するタイミングを示す信号と、スレーブとなっている測定装置で記録するタイミングを示す信号とを共通に出力する中継ユニットを設けることも可能である。さらに、このような中継ユニットあるいはその機能を測定装置の本体内に内蔵することも可能である。
【００２４】
また、上記の例では、センサーから電圧信号が出力される例を説明しているが、電流信号を出力するセンサーに対応した測定装置に適用することも可能である。さらに、単位を表示する領域１２は３つのキャラクタが表示可能なドットマトリクスタイプを採用しているが、上述したようにキャラクタ表示が可能なセグメントタイプであっても良い。さらに、単位を表示する領域１２は３キャラクタ分に限らず、２キャラクタ以下あるいは４キャラクタ以上であっても良い。しかしながら、２キャラクタ以下であると適切な単位表示ができない可能性あり、また、４キャラクタ以上になると表示領域が大きくなり、コストが上昇する。したがって、コストミニマムでコンパクトであり単位表示が適切にできる範囲として３キャラクタ分の単位表示領域１２を本例では用意している。
【００２５】
さらに、上記に示したハードウェア構成はインタフェースの形式なども含めて一例に過ぎず、ＲＳ−２３２Ｃに代わりＵＳＢインタフェースなどの他の汎用性の高いインタフェースを用意するなど、測定装置は上記のハードウェア構成に限定されるものではない。
【００２６】
また、本例の測定装置は、多くの場合、上述したような関数の設定および表示する単位の設定を行う機能を備えたアプリケーションソフトウェアと共に提供される。測定装置自体にユーザインタフェース的なファームウェアを用意し簡単な通信機能を備えた汎用ソフトウェアで設定できるようにしても良いが、そのようなファームウェアのためにメモリが消費され、記録可能な量が削減されるのは望ましくないであろう。また、専用のアプリケーションソフトウェアにより、本例の測定装置に記録された電圧値（一定の形式であればデータの形式は問わない）を取り込んで、先に測定装置にセットするために入力された関数および単位を用いて変換しパーソナルコンピュータに表あるいはグラフ化して表示することも可能である。さらに、センサーから出力された電圧値で記録し、アプリケーションソフトウェアで処理することにより、別の変換式でデータを処理し、単位あるいはスケールを変換することも可能である。
【００２７】
以上に説明したように、上記においては、センサーからの出力値を測定値に変換する関数と、測定値と共に表示する単位を外部から設定可能とし、さらに、単位を表示する領域をドットマトリクス型の液晶などのキャラクタを表示できるものにすることにより、低コストで汎用性がある測定装置を実現している。したがってシステム設計、流通、在庫管理などのさまざまな面で経済効果の高い測定装置を提供することができる。
【００２８】
すなわち、従来の測定装置は、測定対象によって利用可能なセンサーが異なるので測定装置も異なっており、たとえば、温度測定用の測定装置により気圧が測定できるようにはなっていない。したがって、温度測定装置であればディスプレイに表示される値は温度、またはセンサーの出力をそのまま示す電圧値であり、単位としては、摂氏（°Ｃ）、華氏（°Ｆ）、さらには電圧（ｍＶ）が表示できれば良い。このため、ディスプレイには、それらの単位を示すように加工されたセグメントが用意されており、ディスプレイする数値をユーザが選択したときに、それに対応する単位が表示されるようになっている。温度と湿度のように、複数の物理量を測定可能なセンサーを内蔵または取付け可能な測定装置もあるが、このような測定装置では、温度と湿度といった複数の測定対象の異なる測定値が表示できるセレクタが設けられており、表示される測定値が変わると、予め用意された単位表示の中から適当なものが自動的に選択されるようになっている。
【００２９】
測定対象が異なってもセンサーから出力される値は電圧値あるいは電流値といった限られた信号であるので、これらを処理できる機能があれば、汎用性の高い測定装置を提供することはできる。たとえば、センサーからの出力値を取り込めるようになっている汎用なコンピュータを用いた測定装置もあり、プラントなどにおいて、さまざまなデータを集中管理するシステムに応用されている。
【００３０】
小型で携帯可能なもの、あるいは、低コストで使い捨てが可能なもの、一般のユーザが手軽に利用できるものなどの経済性が最重要視される測定装置では、経済性を追求するために機能を限定することが最優先されており、汎用性は求められない。しかしながら、低コストで汎用性のある測定装置があれば、ユーザ側で測定対象を自由に選択できるので、システム設計、流通、在庫管理、スペアパーツなどがすべてフレキシブルになる。したがって、測定装置単体の製造コストが変わらない、あるいは多少高くなっても、その他のさまざまなコストを大幅に低減できる。もちろん、パーソナルコンピュータを用いた測定装置と同様のシステムでは、測定装置のコストが大幅に上昇するので経済的なメリットはない。
【００３１】
そこで、低コストで汎用性があり、システム設計、流通、在庫管理などのさまざまな面で経済効果の高い測定装置が要望されている。
【００３２】
このため、製造した後に、センサーなどの測定手段から出力される値の変換方法およびその単位が設定できる測定装置を提供する。すなわち、上記の測定装置は、測定手段の出力値を所定の関数により測定値に変換する手段と、測定値を単位と共に表示可能なディスプレイとを有し、このディスプレイの少なくとも単位を表示する領域は汎用な表示が可能であり、さらに、所定の関数を外部から設定可能な手段と、ディスプレイの単位を表示する領域に表示する内容を外部から設定可能な手段とを有することを特徴としている。測定手段は、たとえば，センサーであり、センサーを内蔵した測定装置、センサーを接続できるコネクタを備えた測定装置、さらには、センサーと直接あるいは間接的に接続されたケーブルを接続可能なコネクタを備えた測定装置も含まれる。
【００３３】
このような測定装置を提供するために、上記では、数値を表示する領域と、これに隣接して単位を表示する領域とを有し、少なくとも単位を表示する領域は汎用な表示が可能である表示装置を提供している。この表示装置が液晶表示装置であれば、数値を表示する領域には数値表示用のセグメントを配置し、単位を表示する領域にはキャラクタ表示用のセグメントまたはドットマトリクスを配置するようにしている。
【００３４】
この測定装置においては、ディスプレイの単位を表示する領域がフレキシブルになっており、その領域に表示するキャラクタを適当なインタフェースにより外部から設定することができる。また、出力値を測定値に変換する関数も適当なタイミングで外部から設定することができる。したがって、出荷時、ユーザが測定装置を設置するときなど、測定装置の使用目的が明確になったときに単位を設定すればよく、製造時に表示される単位を限定する必要がない。このため、使用目的が未確定の状態で、製造および販売することが可能であり、ユーザも使用目的が未確定の状態で購入してストックしておくことができる。
【００３５】
したがって、この測定装置および表示装置は、量産が容易であり、在庫管理、流通の手間およびコストを削減できる。また、ユーザにおいても、１種類または限られた種類の測定装置を保管しておくことにより、スペアとして、あるいは、その時々の異なる目的で測定装置を使用することができる。さらに、単位および関数を設定しなおすことにより、同じ測定装置を異なる測定対象に適用することも可能となる。
【００３６】
また、この測定装置に、出力値または測定値を測定された順番で記憶可能なメモリなどの手段を設けることにより、汎用的なデータロガーとして使用することができる。さまざまな物理量を測定するセンサーとしては、電圧信号が出力するものが多いので、変換する手段としては、センサーからの電圧信号をデジタル化した出力値に基づき測定値を算出するものを採用することにより汎用性の高い測定装置を提供できる。
【００３７】
すなわち、上記の測定装置は、測定手段の出力値を所定の関数により測定値に変換する手段と、前記測定値を単位と共に表示可能なディスプレイとを有し、このディスプレイの少なくとも単位を表示する領域は汎用な表示が可能であり、さらに、前記所定の関数を外部から設定可能な手段と、前記単位を表示する領域に表示する内容を外部から設定可能な手段とを有する。上記の測定装置において、前記測定手段はセンサーであり、内蔵されたセンサー、センサーを接続可能なコネクタ、または、センサーと直接あるいは間接的に接続されたケーブルを接続可能なコネクタを有することが望ましい。また、上記の測定装置において、前記出力値または測定値を測定された順番で記憶する手段を有することが望ましい。さらに、数値を表示する領域と、これに隣接して単位を表示する領域とを有し、少なくとも単位を表示する領域は汎用な表示が可能である表示装置も有効である。前記表示装置の典型的なものは液晶表示装置であり、前記数値を表示する領域には数値表示用のセグメントが配置され、前記単位を表示する領域にはキャラクタ表示用のセグメントまたはドットマトリクスが配置されている。
【符号の説明】
【００３８】
１    測定装置
２    ボディ（ハウジング）
３    入力インタフェース
４    出力インタフェース
１０    液晶ディスプレイ
１１    数値を表示する領域
１２    単位を表示する領域
１３    チャンネルを表示する領域
２０    信号処理部
３１    Ａ／Ｄ変換部
３２    数値変換部
３３    単位表示部
３４    変換関数
３５    表示用に単位
３９    記憶部
【図１】
2011013229.tif 000003
【図２】
2011013229.tif 000004
【図３】
2011013229.tif 000005
【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
電池電源を用いて測定する測定装置であって、
測定する際に電力を消費するセンサーと、
前記センサーにより測定する都度、そのタイミングに合わせて前記センサーに電力を供給し、測定が終了すると電力を遮断する、電力供給を制御する機能とを有する測定装置。
【請求項２】
請求項１において、
前記センサーが電圧信号または電流信号により出力する測定値を記録する記録装置をさらに有し、
前記電力供給を制御する機能は、前記センサーに電力を供給する前記タイミングに合わせて前記測定値を記録するタイミングを示す信号を出力する、測定装置。
【請求項３】
請求項２において、
前記測定値を表示する表示装置をさらに有し、
前記電力供給を制御する機能は、前記表示装置に前記測定値を表示するモードと、前記表示装置に前記測定値を表示せずに前記記録装置に記録のみを行うモードとを備えている、測定装置。